(57)【特許請求の範囲】
【請求項１】
脚柱上部に設けられた座受本体に、座を保持する可動座受部材と背を保持する可動背受部材とが共通の支軸を介して回動可能に装着され、可動座受部材がバネ力に抗しつつ前傾可能かつ可動背受部材がバネ力に抗しつつ後傾可能に構成された椅子用ロッキング装置において、
座受本体を有底箱型形状とするとともに、この座受本体に支軸を脚柱の縦軸線と整合させて設け、可動座受部材に下方係止部を座受本体内に収容されるように設け、可動背受部材にバネ保持軸を座受本体の底部を貫通させて上向きに突設し、座受本体内に一端がバネ保持軸の上方係止部と係止しかつ他端が可動座受部材の下方係止部と係止したバネを収容し、可動座受部材の後方部をバネ力によって座受本体に下向きに押圧して係止し、かつ可動背受部材の後方部をバネ力によって座受本体に上向きに押圧して係止したことを特徴とする椅子用ロッキング装置。
【発明の詳細な説明】
【０００１】
【発明の属する技術分野】
本発明は、可動座受部材（座）を前傾可能かつ可動背受部材（背）を後傾可能な椅子用ロッキング装置に関する。
【０００２】
【従来の技術】
座を前傾可能かつ背を後傾可能な椅子用ロッキング装置が公知である。
かかる椅子用ロッキング装置の従来構成を図５〜図７に示す。
これらの図において、１は脚柱，２は座受本体，３は可動座受部材，４は可動背受部材，８はバネである。
【０００３】
脚柱１の上部には、座受本体２が設けられている。座受本体２には、座３Ａを保持する可動座受部材３が支軸５を介して回動可能に装着されている。支軸５は、脚柱１よりも後方に位置するように設けられている。また、座受本体２には、背４Ａをフレーム４Ｆを介して保持する可動背受部材４が上記支軸５を介して回動可能に装着されている。
【０００４】
可動座受部材３の後方部には、ボルト６が下向きに突設されている。このボルト６は、座受本体２の後部および可動背受部材４よりも下方に突出しており、その下部にはバネ受座金７が螺合している。このバネ受座金７と可動座受本体２の下側に位置する可動背受部材４との間には、バネ８が介装されている。
【０００５】
使用者が体重を座３Ａの前方に掛けると、図６に示す如く、可動座受部材３が前傾してバネ８の圧縮による反力が得られ、図７に示す如く、背４Ａを後方に押すと、可動背受部材４が後方下向きに回動してバネ８が圧縮され該バネ８による反力が得られる。
【０００６】
【発明が解決しようとする課題】
ところで、上記椅子用ロッキング装置においては、次のような問題点が指摘されている。
【０００７】
▲１▼．現今では、椅子は、その使用環境（例えば、オフィス）にあった外観の美しさが一段と求められるようになってきている。上記したロッキング装置付き椅子は、座３Ａと背４Ａとをロッキングできるという大変に優れた機能を有するものであるが、その構造上、バネ８およびボルト６が座受本体２および可動背受部材４から下方に突き出てしまい美観を損ねる欠点を有している。
また、下方に突き出たバネ８の隙間に使用者の衣服（スカートの裾等）等が挟まってしまい，衣服を汚損（破損）したり，使用者が足をとられて怪我をするおそれがある。
そこで、上記不都合を解消する方策として、筒状の蛇腹９でバネ８等を覆うことがなされることがあるが、周囲部分との違和感を完全に払拭することが困難であるとともに蛇腹９を備える分だけコスト高となってしまう。
【０００８】
▲２▼．上記椅子用ロッキング装置では、座３Ａには使用者の体重が直接作用するために、体重の掛け具合を前方に変えて座３Ａを前傾する場合には、バネ８には過大な力がかかりやすい。特に、使用者が太っている場合には、バネ８に一段と過大な力がかかる。そのため、バネ８はもとよりバネ８と係合する構成部品（ボルト６等）も構造強度を格別大きくしなければならず、構造複雑化・コスト高の原因となっている。
【０００９】
▲３▼．使用者が背４Ａに凭れ掛かるなどして背４Ａが後傾された状態では、座３Ａが十分な反力が得られないまま簡単にロッキング（いわゆるシーソー運動）してしまうことがある。このように、座３Ａがシーソー運動すると使用者に不快感を与えることになる。
【００１０】
本発明の目的は、構造簡素化・コスト低減化を図りつつ美観性および安全性の向上を達成し、かつ座がシーソー運動するのを抑えることができる椅子用ロッキング装置を提供することにある。
【００１１】
【課題を解決するための手段】
本発明は、脚柱上部に設けられた座受本体に、座を保持する可動座受部材と背を保持する可動背受部材とが共通の支軸を介して回動可能に装着され、可動座受部材がバネ力に抗しつつ前傾可能かつ可動背受部材がバネ力に抗しつつ後傾可能に構成された椅子用ロッキング装置において、座受本体を有底箱型形状とするとともに、この座受本体に支軸を脚柱の縦軸線と整合させて設け、可動座受部材に座受本体内に収容される下方係止部を設け、可動背受部材にバネ保持軸を座受本体の底部を貫通させて上向きに突設し、座受本体内に一端がバネ保持軸の上方係止部と係止しかつ他端が可動座受部材の下方係止部と係止したバネを収容し、可動座受部材の後方部をバネ力によって座受本体に下向きに押圧して係止し、かつ可動背受部材の後方部をバネ力によって座受本体に上向きに押圧して係止したことを特徴とする。
【００１２】
かかる発明では、バネおよびバネ保持軸は有底箱型形状の座受本体内に収容されているので外部からは目視不能となる。したがって、バネ等の露出によって美観を損ねる従来欠点が解消される。また、下方に突き出たバネの隙間に使用者の衣服（スカートの裾等）等が挟まって汚損（破損）したり，使用者が足をとられて怪我するおそれが一掃される。
【００１３】
また、使用者が座の前方部分（支軸よりも前方部分）に体重が掛かるようにした場合、該体重の支軸を中心とするモーメント［体重×腕の長さ（体重の作用点から支軸までの距離）］が可動座受部材に作用する。すると、可動座受部材は、バネ力によって座受本体に押圧されて係止されていた状態から前方下向きに回動（前傾）する。
【００１４】
この際、下方係止部は可動座受部材とともに回動し、上方係止部との間隔が狭まってくる。そのため、上方係止部と下方係止部との間に介装されたバネは縮められ、該バネの圧縮量に比例した力（バネ力）が可動座受部材に作用する。
【００１５】
すなわち、可動座受部材には、上記した体重のモーメントに抵抗してバネ力のモーメント［バネ力×腕の長さ（バネ力の作用点から支軸までの距離）］が作用する。このバネ力のモーメント（抵抗モーメント）は、可動座受部材の前傾量の増大に応じて増大し、この抵抗モーメントと体重のモーメントとが等しくなったところで、可動座受部材（座）は停止する。
このように、座が前傾する際にはバネから適度な反力が得られる。
【００１６】
ここにおいて、支軸は脚柱の縦軸線に整合する位置に設けてあるので、支軸が脚柱の後方に設けられた従来例に比べて体重のモーメントにおける腕が小さくなるとともにバネのモーメントにおける腕が大きくなる。
【００１７】
したがって、従来例に比べて、可動座受部材が前傾された場合にバネに作用する圧縮力が小さくなる。そのため、バネやバネと係合する構成部品の構造強度を格別大きくする必要はなくなり、従来例に比べて構造簡素化・コスト低減を達成することができる。
【００１８】
また、使用者が背中で背を後方に押した場合、可動背受部材はバネ力によって座受本体に押圧されて係止された状態から後方下向きに回動（後傾）する。そして、背に作用する力（押圧力）のモーメントとバネ力のモーメント（抵抗モーメント）とが等しくなったところで、可動背受部材（背）は停止する。このように、背が後傾する際にも、バネから適度な反力が得られる。
【００１９】
ここにおいて、背が後傾した状態では、可動背受部材の後方部は座受本体から下方に離れている。そのため、背の後傾状態が保持されつつ可動座受部材と可動背受部材とが同期して前傾されてしまうような場合には、上方係止部と下方係止部とが同期して同一方向に回動することになる。そのため、両係止部間のバネは圧縮されず、その結果可動座受部材にはバネからの反力がほとんど作用しないことになる。いわゆる、シーソー運動が起こってしまうことになる。
【００２０】
しかし、本発明では、支軸を脚柱の縦軸線に整合する位置に設けてあるので、前傾のために体重をかける部分（支軸よりも前方部分）と背とが従来例に比べて大きく離れることになる。そのため、使用者が普通の状態で椅子に腰をかけている場合には、背を後傾させた状態で背と座とが同期的に前傾するような事態は生じにくく、シーソー運動の発生は効果的に抑えられる。
【００２１】
【発明の実施の形態】
以下、本発明の実施形態を図面を参照して説明する。
本椅子用ロッキング装置は、図１〜図４に示す如く、座受本体１０を有底箱型形状に形成するとともに、この座受本体１０内にバネ５０およびバネ５０と係合する構成部品（可動座受部材２０の下方係止部２６，バネ保持軸６０）を収容してバネ５０等を外部から目視不能に構成されている。
【００２２】
ここにおいて、座受本体１０は、有底箱型（例えば舟型）形状とされており，脚柱１の上部に設けられている。この座受本体１０には、座３Ａを保持する可動座受部材２０と背４Ａをフレーム４Ｆを介して保持する可動背受部材３０とが脚柱１の縦軸線Ａと整合するように設けられた支軸４０を介して回動可能に装着されている。
【００２３】
より具体的には、座受本体１０は、底部１２と，前後左右の側部１１と，開口された上部１９とから形成されている。なお、各側部１１のうち後側部は、開口してあってもよい。また、底部１２には、バネ保持軸６０通し用の小さな孔（図示省略）が貫通穿設されている。座受本体１０の先端部には、可動座受部材２０の前傾量を規制するためのストッパ部１４が設けられている。
【００２４】
支軸４０は、脚柱１の延長上に位置するように配設されている。特に、この実施形態では、支軸４０は、その軸線が脚柱１の縦軸線Ａと直交するように配設されている。
【００２５】
可動座受部材２０には、座受本体１０内に収容されるように下方係止部２６が設けられている。この下方係止部２６には、バネ保持軸６０通し用の小さな孔（図示省略）が貫通穿設されている。
【００２６】
可動背受部材３０には、バネ保持軸６０が座受本体１０の底部１２および下方係止部２６の各孔を貫通させて上向きに突設されている。バネ保持軸６０の上部には、上方係止部６６が可動座受部材２０の上面以下に位置するように設けられている。この実施形態では、上方係止部６６は、バネ保持軸６０の上部に溶接で固定されている。この可動背受部材３０の前方部には、支軸４０をワンタッチで被嵌可能な差込式の係合溝３１が設けられている。
【００２７】
バネ５０は、その一端（上端）がバネ保持軸６０の上方係止部６６と係止しかつその他端（他端）が可動座受部材２０の下方係止部２６と係止した状態で座受本体１０内に収容されている。
【００２８】
この実施形態では、上方係止部６６の下方係止部２６に対する距離を変えることによりバネ力を調節可能としている。そのため、バネ保持軸６０の下端部には雄ネジ部６１が形成されている。この雄ネジ部６１は、可動背受部材３０の孔（図示省略）を介して下方に突出され，バネ力調節部材７０と螺合している。
【００２９】
このバネ力調節部材７０を一方向に回動して上方係止部６６を下方へ移動することによりバネ５０が押し縮められてバネ力が増大し、逆方向へ回動することによりバネ力が減小する。
【００３０】
そして、可動座受部材２０の後方部２５は、バネ５０の弾性力によって座受本体１０の係止部（例えば上方縁）に下向きに押圧して係止され、可動背受部材３０の後方部３５はバネ５０の弾性力によって座受本体２０の係止部（例えば、底部１２）に上向きに押圧して係止される構成とされている。
【００３１】
次に、この実施形態の作用・動作について説明する。
使用者が座３Ａの前方部分（支軸４０よりも前方部分）に体重（Ｗ）が掛かるようにした場合、図４に示す如く、該体重（Ｗ）の支軸４０を中心とするモーメント［体重×腕の長さ（体重の作用点から支軸までの距離Ｌ１）］が可動座受部材２０に作用する。すると、可動座受部材２０は、バネ５０の弾性力によって座受本体１０の係止部（上方縁）に下向きに押圧されて係止されていた状態から前方下向きに回動（前傾）する（図２参照）。
【００３２】
この際、下方係止部２６は、可動座受部材２０とともに回動し、上方係止部６６との間隔が狭まってくる。そのため、上方係止部６６と下方係止部２６との間に介装されたバネ５０は縮められ、該バネ５０の圧縮量に比例した力（バネ力Ｆ）が可動座受部材２０に作用する。
【００３３】
すなわち、可動座受部材２０には、図４に示す如く、上記した体重（Ｗ）のモーメントに抵抗してバネ力（Ｆ）の支軸４０を中心とするモーメント［バネ力×腕の長さ（バネ力の作用点から支軸までの距離Ｌ０）］が作用する。このバネ力のモーメント（抵抗モーメント）は、可動座受部材２０の前傾量の増大に応じて増大し、この抵抗モーメントと体重のモーメントとが等しくなったところで、可動座受部材２０は停止する。
このように、座３Ａが前傾する際にはバネ５０から適度な反力が得られる。
【００３４】
ここにおいて、支軸４０は脚柱１の縦軸線Ａに整合する位置に設けられているので、支軸４０が脚柱１の後方に設けられた従来例に比べて体重（Ｗ）のモーメントにおける腕（Ｌ１）が小さくなる（すなわち、Ｌ１＜Ｌ１’）とともに、バネ５０のモーメントにおける腕（Ｌ０）が大きくなる（すなわち、Ｌ０＞Ｌ０’）。
【００３５】
したがって、従来例に比べて可動座受部材２０が前傾された場合にバネ５０に作用する圧縮力（Ｆ）が小さくなる。そのため、バネ５０やバネ５０と係合する構成部品（２６，６０）の構造強度を格別大きくする必要はなくなり、従来例に比べて構造簡素化・コスト低減を達成することができる。
【００３６】
また、使用者が背４Ａに凭れ掛かるなどして背４Ｆを後方に押した場合、可動背受部材３０は図３で２点鎖線で示す如く座受本体底部１２に押圧されて係止された状態から後方下向きに回動（後傾）する。そして、背４Ａに作用する力（押圧力Ｐ）のモーメント（Ｐ×Ｌ２）とバネ力（Ｆ）のモーメント（Ｆ×Ｌ０）とが等しくなったところで、可動背受部材３０（背４Ａ）は停止する。このように、背４Ａが後傾する際にも、バネ５０から適度な反力が得られる。
【００３７】
ここにおいて、背４Ａが後傾した状態では、可動背受部材３０の後方部３５は座受本体１０の底部１２から離れている。そのため、背４Ａの後傾状態が保持されつつ可動座受部材２０と可動背受部材３０とが同期して前傾されてしまうような場合には、上方係止部６６と下方係止部２６とが同期して同一方向に回動することになる。そのため、両係止部（６６，２６）間のバネ５０は圧縮されず、その結果可動座受部材２０にはバネ５０からの反力が作用しないことになる。いわゆる、シーソー運動が起こってしまうことになる。
【００３８】
しかし、支軸４０が脚柱１の縦軸線Ａに整合する位置に設けられているので、前傾のために体重をかける部分（支軸４０よりも前方の座３Ａ部分）と背４Ａとが従来例に比べて大きく離れることになる。そのため、使用者が普通の状態で座３Ａに腰かけている場合には、背４Ａを後傾させた状態で背４Ａと座３Ａとが同期的に前傾するような事態は生じにくく、シーソー運動の発生は効果的に抑えられる。
【００３９】
しかして、この実施形態によれば、座受本体１０を有底箱型形状に形成するとともに、この座受本体１０内にバネ５０およびバネ５０と係合する構成部品（可動座受部材２０の下方係止部２６，バネ保持軸６０）を収容してバネ５０等を外部から目視不能に構成したので、構造簡素化・コスト低減化を図りつつ美観性および安全性の向上を達成し、かつ座３Ａがシーソー運動するのを抑えることができる。
【００４０】
また、座受本体１０を箱型形状としてあるので、薄型化を図りつつ構造強度を増大させることができ、この点からも一層の構造の簡素化・コスト低減を図ることができる。
【００４１】
また、支軸４０が脚柱１の縦軸線Ａと整合して設けられているので、座受本体と脚柱１との接合部に作用する曲げモーメントは従来例に比べて大幅に小さくなる。そのため、座受本体１０と脚柱１との接合構造を従来例程には強固にしなくてすむ。また、支軸４０を介して脚柱１に作用する偏心荷重を大幅に減小させることができる。したがって、一層の構造の簡素化・コスト低減を図ることができる。
【００４２】
また、支軸４０に対応して可動背受部材３０に差込式の係合溝３１を設けたので、いわゆるワンタッチで支軸４０への装着を行うことができる。したがって、一段と組立容易となり、一層コスト低減を図ることができる。このように、ワンタッチ方式としてもバネ保持軸６０を介して可動背受部材３０は座受本体１０に係止されるので、支軸４０から係合溝３１が外れてしまうようなことはない。
【００４３】
また、組立時に、バネ５０は、下方係止部２６上に載置した状態で、バネ保持軸６０を当該下方係止部２６，座受本体１０の底部１２および可動背受部材３０を貫通させてバネ力調節部材７０と螺合させればよいので、バネ（８）をボルト（６）に通した状態で保持しつつバネ受座金（７）をボルト先端に係止させなければならない従来例に比べて、より簡単に組立てることができる。
【００４４】
さらに、座受本体１０は底部１２を有するので、バネ５０と下方係止部２６との当接部に潤滑用のグリス等を塗付しても該グリスが外部に漏洩するのを防止することができる。これにより、可動座受部材２０の回動運動により、下方係止部２６がバネ５０の他端に対して横ズレする際の抵抗を大幅に減小することができる。これにより、可動座受部材２０の前傾動作および可動背受部材３０の後傾動作を一段と円滑に行える。
【００４５】
【発明の効果】
本発明によれば、座受本体を有底箱型形状に形成するとともに、この座受本体内にバネやバネと係合する可動座受部材の下方係止部およびバネ保持軸を収容してバネ等を外部から目視不能に構成したので、構造簡素化・コスト低減化を図りつつ美観性および安全性の向上を達成し、かつ座がシーソー運動するのを抑えることができる。
【図面の簡単な説明】
【図１】本発明の実施形態を説明するための図である。
【図２】同じく、座（可動座受部材）の前傾動作を説明するための図である。
【図３】同じく、背（可動背受部材）の後傾動作を説明するための図である。
【図４】同じく、可動座受部材および可動背受部材に作用する力の釣合を説明するための図である。
【図５】椅子用ロッキング装置の従来構成を説明するための図である。
【図６】同じく、座（可動座受部材）の前傾動作を説明するための図である。
【図７】同じく、背（可動背受部材）の後傾動作を説明するための図である。
【符号の説明】
１  脚柱
３Ａ  座
４Ａ  背
１０  座受本体
２０  可動座受部材
２５  後方部
２６  下方係止部
３０  可動背受部材
３５  後方部
４０  支軸
５０  バネ
６０  バネ保持軸
６６  上方係止部
【図１】
0003891624.tif 000002
【図２】
0003891624.tif 000003
【図３】
0003891624.tif 000004
【図４】
0003891624.tif 000005
【図５】
0003891624.tif 000006
【図６】
0003891624.tif 000007
【図７】
0003891624.tif 000008